(57)【特許請求の範囲】
【請求項１】
建造物の配管スペースに配管されている消火用給水主管(１)にヘッダー(３)を連通接続し、このヘッダー(３)と建造物での適所に配置されている消火用端末機器(７)とを枝管(６)で連通接続する水系消火配管での配管方法であって、
複数のＴ管(４)を相互に同軸上で相対回転可能に組み付け導出方向を同一軸芯回りに自由に設定できると共に各導出口にはそれを継手本体として枝管(６)の一端を直接に挿入接続可能なワンタッチ継手(５ａ)を一体に組み立ててあるヘッダー(３)を用意し、
可撓性を有する素材で構成した枝管(６)を、施工現場におけるヘッダー(３)の位置から消火用端末機器(７)までの寸法に対応させた長さに工場加工により予めそれぞれ形成し、この枝管(６)の一端を直接に前記ヘッダー(３)に前記ワンタッチ継手(５ａ)を介して接続するととともに、枝管(６)の他端を消火用端末機器(７)と接続する接続具(８)に連通接続させるようにした水系消火配管での配管方法において、
ワンタッチ継手(５ａ)は、Ｔ管(４)から一体に突出形成した本体部分(10)と、この突出している本体部分(10)の外周部分に、挿入される枝管(６)の肉厚を基準に設定された所定寸法の挿入空間(11)を隔てて配置したスペーサ(12)と、このスペーサ(12)の外周に挿嵌されて本体部分(10)に外嵌している外筒(13)とを有し、スペーサ(12)と本体部分(10)の基端部との間にバックアップゴム(14)が装着してあり、かつ、スペーサ(12)の先端部と外筒(13)との間にはストッパリング(15)が装着してあり、かつ、本体部分(10)の外周面にはＯリング(16)が嵌着してあり、前記挿入空間(11)にはテーパー付きガイド(17)が該挿入空間(11)を先端側から基端側に移動可能な状態で装着されて構成されおり、該ワンタッチ継手(５ａ)では、非接続状態から、当該ワンタッチ継手(５)の先端開口部に枝管(６)の管壁部分を挿入空間(11)にあてがってテーパー付きガイド(17)とともに押し込み挿入することによって、接続状態になることを特徴とする水系消火配管での配管方法。
【請求項２】
枝管(６)がポリブテン管で構成されている請求項１に記載の水系消火配管での配管方法。
【請求項３】
枝管(６)の他端に接続する接続具(８)がワンタッチ継手である請求項１又は２に記載の水系消火配管での配管方法。
【請求項４】
枝管(６)の他端に接続する接続具(８)が融着継手である請求項１又は２に記載の水系消火配管での配管方法。
【請求項５】
消火用端末機器(７)がスプリンクラーヘッドである請求項１〜４のいずれか１項に記載した水系消火配管での配管方法。
【発明の詳細な説明】
【技術分野】
【０００１】
本発明は、建造物に配管される消火用水配管での配管方法に関し、特に、スプリンクラーヘッドに消火用水を供給する消火用水配管での接続を高い作業性で行える配管方法に関する。
【背景技術】
【０００２】
従来、建造物に施される消火用水配管は、天井等に配設されたスプリンクラーヘッド等の端末機器に給水する枝管を天井裏等の配管スペースや天井板に沿って配設している(特許文献１)。ところが、この場合、各枝管は、施工現場で配管施工図面に準拠して図面指定の長さに切断加工したり、現場での実寸法に応じて切断加工したりし、その切断加工された管材をフランジやソケツト等のフィッティング類を用いて適宜接合しつつ組み合わせていく、いわゆる現場加工で行っていた。
【０００３】
枝管を施工現場で現場加工する場合、寸法精度や加工精度は作業者の技量が大きく影響するうえ、それらの精度自体も低くなることから、使用材料に無駄が生じやすいという問題がある。また、天井裏などに形成される配管スペースが狭いことから、接続作業性も悪いという問題もある。
【０００４】
そこで、建築物での配管において、可撓性部材で構成した枝管を寸法加工するとともに、主管に接続してなる配管ユニットを予め工場加工(プレハブ加工)したものを現場に搬入し、現場で主管部分を本館部分につなぎ込むようにする技術が提案されている(特許文献２)。
【特許文献１】特開２００１-２５５１４号公報
【特許文献２】特許第２６０６８０８号公報
【発明の開示】
【発明が解決しようとする課題】
【０００５】
前述の可撓性部材を利用して形成した枝管をプレハブ加工し、現場に搬入してつなぎ込むようにした場合でも、給水管などとの連結接続は、天井部で接続するため、ヘッダーに枝管が接続された状態では重量が重くなり、取扱いも困難で、ヘッダーを設置しずらい。
また、枝管が梁を貫通しなければならない場合には、ヘッダー及び他端に接続具が接続された状態では、梁に設けられている貫通孔を通過できない場合がある。その場合、枝管を一度途中で切断し、貫通孔に枝管を通貨させた後に枝管を再びソケツト等の継手で接続する必要がある。
【０００６】
本発明はこのような点に着目して形成されたもので、建造物に配設される消火用水配管を高い作業性で確実に配管することのできる配管方法を提供することを目的とする。
【課題を解決するための手段】
【０００７】
請求項１に記載した本発明は、建造物の配管スペースに配管されている消火用給水主管にヘッダーを連通接続し、このヘッダーと建造物での適所に配置されている消火用端末機器とを枝管で連通接続する水系消火配管での配管方法であって、複数のＴ管を相互に同軸上で相対回転可能に組み付け導出方向を同一軸芯回りに自由に設定できると共に各導出口にはそれを継手本体として枝管の一端を直接に挿入接続可能なワンタッチ継手を一体に組み立ててあるヘッダーを用意し、可撓性を有する素材で構成した枝管を、施工現場におけるヘッダーの位置から消火用端末機器までの寸法に対応させた長さに工場加工により予めそれぞれ形成し、この枝管の一端を直接に前記ヘッダー(３)に前記ワンタッチ継手を介して接続するととともに、枝管の他端を消火用端末機器と接続する接続具に連通接続させるようにした水系消火配管での配管方法において、ワンタッチ継手は、Ｔ管から一体に突出形成した本体部分と、この突出している本体部分の外周部分に、挿入される枝管の肉厚を基準に設定された所定寸法の挿入空間を隔てて配置したスペーサと、このスペーサの外周に挿嵌されて本体部分に外嵌している外筒とを有し、スペーサと本体部分の基端部との間にバックアップゴムが装着してあり、かつ、スペーサの先端部と外筒との間にはストッパリングが装着してあり、かつ、本体部分の外周面にはＯリングが嵌着してあり、前記挿入空間にはテーパー付きガイドが該挿入空間を先端側から基端側に移動可能な状態で装着されて構成されおり、該ワンタッチ継手では、非接続状態から、当該ワンタッチ継手の先端開口部に枝管の管壁部分を挿入空間にあてがってテーパー付きガイドとともに押し込み挿入することによって、接続状態になることを特徴としている。
【０００８】
請求項２に記載した発明は請求項１での枝管をポリブテン管で構成したことを特徴としている。また、請求項３に記載した発明は、請求項１又２での枝管の他端に接続する接続具をワンタッチ継手としたことを特徴としている。さらに、請求項４に記載した発明は、請求項１又は２での枝管の他端に接続する接続具を融着継手としたことを特徴としている。また、請求項５に記載した発明は、請求項１〜４のいずれか１項での消火用端末機器がスプリンクラーヘッドであることを特徴とするものである。
【発明の効果】
【０００９】
請求項１に記載した本発明では、複数のＴ管を相互に同軸上で相対回転可能に組み付け導出方向を同一軸芯回りに自由に設定できると共に各導出口にはそれを継手本体として枝管の一端を直接に挿入接続可能なワンタッチ継手を一体に組み立ててあるヘッダーを用意し、可撓性を有する素材で構成した枝管を、施工現場におけるヘッダーの位置から消火用端末機器までの寸法に対応させた長さに工場加工により予めそれぞれ形成し、この枝管の一端を直接にヘッダーにワンタッチ継手を介して接続するように構成してあることから、施工現場での枝管を配管するスペースが狭くても、容易に枝管をつなぎ込むことができ、作業性を高めることができる。また、枝管が可撓性を有する素材で形成されていることから、工場加工した枝管を巻回した状態で施工現場に搬入することができるから輸送効率も向上することになる。
【発明を実施するための最良の形態】
【００１０】
図は本発明を適用した水系消火配管の一形態を示し、図１は概略斜視図である。この水系消火配管は、建造物に敷設されている消火用給水主管(１)から分岐導出した分岐管(２)にヘッダー(３)が接続固定されている。このヘッダー(３)は複数のＴ管(４)を相互に相対回転可能な状態で組み付けることにより、導出方向をヘッダー(３)の軸芯周りに自由に設定できるようにしてある。
【００１１】
ヘッダー(３)の各導出口には、枝管(６)を迅速に接続することのできる迅速接続継手(５)が組み込んである。この迅速接続継手(５)は図２及び図３に示されているワンタッチ継手(５ａ)で構成してあり、このワンタッチ継手(５ａ)は枝管(６)の一端を挿入するだけで、枝管(６)とヘッダー(３)とが水密状に接続できるように構成してある。
【００１２】
枝管(６)は可撓性を有する樹脂管であるポリブテン管で形成してあり、配管施工図面に応じて定められた長さに予め工場で切断するとともに所定の形状に加工してある。そして、この枝管(７)の他端部には、消火用端末機器としてのスプリンクラーヘッド(７)との接続具(８)が装着してある。この接続具(８)は熱融着あるいは電気融着で枝管(６)と一体化している。なお、この接続具(８)としては、ねじ付きソケット(８ａ)や座付エルボ(８ｂ)を使用しており、この接続具(８)にスプリンクラーヘッド(７)を直接的に、あるいは、補助連結管(10)を介して連結固定するようにしてある。
【００１３】
前記ワンタッチ継手(５ａ)は、図２及び図３に示すように、Ｔ管(４)から一体に突出形成した本体部分(10)と、この突出している本体部分(10)の外周部分に、挿入されるポリブテン管の肉厚を基準に設定された所定寸法の挿入空間(11)を隔てて配置したスペーサ(12)と、このスペーサ(12)の外周に挿嵌されて本体部分(10)に外嵌している外筒(13)とを有し、スペーサ(12)と本体部分(10)の基端部との間にバックアップゴム(14)が装着してあり、かつ、スペーサ(12)の先端部と外筒(13)との間にはストッパリング(15)が装着してあり、かつ、本体部分(10)の外周面にはＯリング(16)が嵌着してあり、前記挿入空間(11)にはテーパー付きガイド(17)が該挿入空間(11)を先端側から基端側に移動可能な状態で装着されている。
【００１４】
上述の構成からなるワンタッチ継手(５ａ)では、図２(ａ)及び図３(ａ)に示されている非接続状態から、ワンタッチ継手(５)の先端開口部に枝管(６)の管壁部分を挿入空間(11)にあてがってテーパー付きガイド(17)とともに押し込み挿入することによって、図２(ｂ)及び図３(ｂ)に示す接続状態になる。
【００１５】
上述の構成からなる水系消火配管にあっては、予め工場加工で所定寸法ならびに所定形状に形成した枝管(６)を使用して、天井裏などの狭い空間内に配管し、枝管(６)のヘッダー側端部をヘッダー(３)にワンタッチ継手(５ａ)を介して接続するとともに、枝管の他端部をスプリンクラーヘッド(７)に接続具(８)を介して連通接続するようにしている。この場合、消火用端末機器であるスプリンクラーヘッド(７)は室内空間における天井等の構造物に固定されており、その接続部分は室内側からでも比較的操作しやすいため、消火用端末機器との接続を容易に行うことができる。
【００１６】
一方、ヘッダー(３)に対しては、枝管(６)の端部をヘツダー(３)に設けてあるワンタッチ継手(５ａ)に対して直線的に差し込むだけであるからヘッダー(３)へのつなぎ込み作業も容易に行うことができる。そして、可撓性を有する素材で枝管(６)が構成してあることから、施工現場で生じる多少の寸法誤差は、枝管(６)のたわみ変形で吸収することができることになる。
【００１７】
上述の実施形態では、消火用端末機器側となる枝管(６)の端部(他端部)に接続具(８)を融着し、その接続具(８)にスプリンクラーヘッド(７)を直接又は補助連結管(９)を介して連結するように構成しているが、接続具(８)として、一端がねじ継手で他端が前記ワンタッチ継手と同じ構成になっている管継手を使用し、枝管(６)の他端をワンタッチ継手に挿入固定するように構成してもよい。
【産業上の利用可能性】
【００１８】
本発明は、建造物の天井や壁内に配管される消火用水の配管に適用することができる。
【図面の簡単な説明】
【００１９】
【図１】水系消火配管の一形態を示す概略斜視図である。
【図２】ヘッダーの縦断面図を示し、図２(ａ)は枝管接続前の縦断面図、図２(ｂ)は枝管接続状態での縦断面図である。
【図３】ワンタッチ継手の要部を示す図であり、図３(ａ)は枝管接続前の縦断面図、図３(ｂ)は枝管接続状態での縦断面図である。
【符号の説明】
【００２０】
１…消火用給水主管、３…ヘッダー、５…迅速接続継手(５ａ…ワンタッチ継手)、６…枝管、７…消火用端末機器(スプリンクラーヘッド)、８…接続具。
【図１】
0004839062.tif 000002
【図２】
0004839062.tif 000003
【図３】
0004839062.tif 000004